(57)【要約】【課題】奥行き寸法を広げることなく、遊技盤が遊技者に近過ぎるという圧迫感を抑えることができる遊技機を提供する。【解決手段】前面枠と、該前面枠側に着脱可能な状態で配置され、前面側に遊技領域６が区画形成された遊技盤５と、前面枠に開閉可能な状態で軸着され、遊技領域６の前方を視認可能な状態で覆う透明部材１２を保持する透明部材保持枠１１と、遊技球を前面枠の前側へ排出可能な球排出機構４５とを備えたパチンコ遊技機であって、遊技盤５よりも前方の位置であって透明部材保持枠１１よりも後方の位置に、球排出機構４５の少なくとも一部を配置した。【選択図】図６
2008161213.tif 000002
【特許請求の範囲】
【請求項１】
前面枠と、該前面枠側に着脱可能な状態で配置され、前面側に遊技領域が区画形成された遊技盤と、前面枠に開閉可能な状態で軸着され、遊技領域の前方を視認可能な状態で覆う透明部材を保持する透明部材保持枠と、遊技球を前面枠の前側へ排出可能な球排出機構と、を備えた遊技機であって、
前記遊技盤よりも前方の位置であって透明部材保持枠よりも後方の位置に、球排出機構の少なくとも一部を配置したことを特徴とする遊技機。
【請求項２】
前記透明部材保持枠は、透明部材の側方に位置する箇所を前方へ膨出し、該膨出部の裏側を前方へ凹ませて球排出機構の一部を収容可能な排出機構収容部を形成したことを特徴とする請求項１に記載の遊技機。
【請求項３】
前記透明部材保持枠は、透明部材の側方に、前後方向へ延在する視認窓部を備え、
前記球排出機構は、当該球排出機構内の遊技球流路に臨む排出窓部を備え、
前記視認窓部および排出窓部を介して球排出機構内の遊技球を視認可能としたことを特徴とする請求項１または請求項２に記載の遊技機。
【請求項４】
前記遊技盤の下方に、遊技に関わる変動表示ゲームを実行する変動表示装置を配置し、
該変動表示装置は、変動表示ゲームを表示可能な表示部を前方へ下り傾斜した状態で配置し、表示部の下部の後方に配置空間部を設定し、
前記球排出機構は、遊技球の排出動作を行う球排出装置と、該球排出装置から排出された遊技球を流下させる球排出流下路と、を備え、
前記前面枠の一側には球排出装置を配置し、他側には球排出流下路の下流開口を設け、
前記配置空間部に球排出流下路を前面枠の一側から他側へ向けて下り傾斜した状態で配置したことを特徴とする請求項１から請求項３のいずれかに記載の遊技機。
【請求項５】
前記変動表示装置は、表示部に液晶パネルを用いた液晶表示器で構成され、液晶パネルのうち球排出流下路に対向する箇所を流下路対向部に設定し、該流下路対向部を光透過状態と光散乱状態とに変換可能とし、
前記流下路対向部を光透過状態へ変換すると、流下路対向部を介して球排出流下路内の遊技球を前方から視認可能としたことを特徴とする請求項４に記載の遊技機。
【請求項６】
前記遊技領域へ遊技球を発射可能な発射装置と、該発射装置から発射された遊技球を遊技領域へ案内する発射案内流路と、を備え、
前記球排出流下路のうち発射案内流路と前後に重なる箇所にはファール球回収路を発射案内流路内へ向けて延設し、該ファール球回収路の延設端部を発射案内流路内で上方へ向けて開放したことを特徴とする請求項４または請求項５に記載の遊技機。
【請求項７】
前記遊技領域へ遊技球を発射可能な発射装置と、該発射装置から発射された遊技球を遊技領域へ案内する発射案内流路と、を備え、
該発射案内流路の正面に球排出機構を配置したことを特徴とする請求項１から請求項６のいずれかに記載の遊技機。
【発明の詳細な説明】
【技術分野】
【０００１】
本発明は、前面枠と、該前面枠側に着脱可能な状態で配置され、前面側に遊技領域が区画形成された遊技盤と、前面枠に開閉可能な状態で軸着され、遊技領域の前方を視認可能な状態で覆う透明部材を保持する透明部材保持枠と、遊技球を前面枠の前側へ排出可能な球排出機構とを備えたパチンコ遊技機等の遊技機に関する。
【背景技術】
【０００２】
近年の遊技機、例えば、パチンコ遊技機においては、遊技演出の効果を増すために、表示装置を大型化したものが提案されている。具体的には、前面枠に大型液晶パネル等で構成された変動表示装置を設け、該変動表示装置を前面枠の横幅と略等しい横幅に設定し、変動表示装置の前方に透光性部材で形成された遊技盤を装着し、遊技者が該遊技盤を介して変動表示装置の表示領域を視認できるように構成されたパチンコ遊技機が提案されている（例えば、特許文献１）。なお、パチンコ遊技機には、遊技領域の前方を視認可能な状態で覆う透明部材を保持する透明部材保持枠と、遊技球を前面枠の前側へ排出可能な球排出機構とを備えている。
【特許文献１】特開２００５−１３１３２９号公報
【発明の開示】
【発明が解決しようとする課題】
【０００３】
ところで、上記特許文献に記載のパチンコ遊技機は、遊技盤の下部の左右両側に一般入賞口等の入賞装置を配置して、変動表示装置の下部を入賞装置により前方から覆い隠すように構成され、また、遊技盤と変動表示装置との間隔を遊技球が１個入る程度の狭い間隔に設定している。さらに、変動表示装置の裏側には、遊技球を排出するための球排出機構やパチンコ遊技機を制御する制御装置を配置している。この結果、遊技者に対して遊技盤および変動表示装置が近過ぎるという印象、すなわち圧迫感を与え易く、遊技の興趣を減衰させる虞がある。そこで、変動表示装置を遊技盤の下方へ配置するとともに、遊技盤を前面枠の後部へ配置することが考えられる。
【０００４】
しかしながら、遊技盤を後方へ配置すると、球排出機構をもさらに後方へ配置することになり、パチンコ遊技機の奥行きが広くなってしまう。この結果、パチンコ遊技機が遊技店に設置された遊技機設置島設備内に設置できなくなる虞がある。
【０００５】
本発明は、上記の事情に鑑みてなされたものであり、その目的は、奥行き寸法を広げることなく、遊技盤が遊技者に近過ぎるという圧迫感を抑えることができる遊技機を提供しようとするものである。
【課題を解決するための手段】
【０００６】
本発明は、上記目的を達成するために提案されたものであり、請求項１に記載のものは、前面枠と、該前面枠側に着脱可能な状態で配置され、前面側に遊技領域が区画形成された遊技盤と、前面枠に開閉可能な状態で軸着され、遊技領域の前方を視認可能な状態で覆う透明部材を保持する透明部材保持枠と、遊技球を前面枠の前側へ排出可能な球排出機構と、を備えた遊技機であって、
前記遊技盤よりも前方の位置であって透明部材保持枠よりも後方の位置に、球排出機構の少なくとも一部を配置したことを特徴とする遊技機である。
【０００７】
請求項２に記載のものは、前記透明部材保持枠は、透明部材の側方に位置する箇所を前方へ膨出し、該膨出部の裏側を前方へ凹ませて球排出機構の一部を収容可能な排出機構収容部を形成したことを特徴とする請求項１に記載の遊技機である。
【０００８】
請求項３に記載のものは、前記透明部材保持枠は、透明部材の側方に、前後方向へ延在する視認窓部を備え、
前記球排出機構は、当該球排出機構内の遊技球流路に臨む排出窓部を備え、
前記視認窓部および排出窓部を介して球排出機構内の遊技球を視認可能としたことを特徴とする請求項１または請求項２に記載の遊技機である。
【０００９】
請求項４に記載のものは、前記遊技盤の下方に、遊技に関わる変動表示ゲームを実行する変動表示装置を配置し、
該変動表示装置は、変動表示ゲームを表示可能な表示部を前方へ下り傾斜した状態で配置し、表示部の下部の後方に配置空間部を設定し、
前記球排出機構は、遊技球の排出動作を行う球排出装置と、該球排出装置から排出された遊技球を流下させる球排出流下路と、を備え、
前記前面枠の一側には球排出装置を配置し、他側には球排出流下路の下流開口を設け、
前記配置空間部に球排出流下路を前面枠の一側から他側へ向けて下り傾斜した状態で配置したことを特徴とする請求項１から請求項３のいずれかに記載の遊技機である。
【００１０】
請求項５に記載のものは、前記変動表示装置は、表示部に液晶パネルを用いた液晶表示器で構成され、液晶パネルのうち球排出流下路に対向する箇所を流下路対向部に設定し、該流下路対向部を光透過状態と光散乱状態とに変換可能とし、
前記流下路対向部を光透過状態へ変換すると、流下路対向部を介して球排出流下路内の遊技球を前方から視認可能としたことを特徴とする請求項４に記載の遊技機である。
【００１１】
請求項６に記載のものは、前記遊技領域へ遊技球を発射可能な発射装置と、該発射装置から発射された遊技球を遊技領域へ案内する発射案内流路と、を備え、
前記球排出流下路のうち発射案内流路と前後に重なる箇所にはファール球回収路を発射案内流路内へ向けて延設し、該ファール球回収路の延設端部を発射案内流路内で上方へ向けて開放したことを特徴とする請求項４または請求項５に記載の遊技機である。
【００１２】
請求項７に記載のものは、前記遊技領域へ遊技球を発射可能な発射装置と、該発射装置から発射された遊技球を遊技領域へ案内する発射案内流路と、を備え、
該発射案内流路の正面に球排出機構を配置したことを特徴とする請求項１から請求項６のいずれかに記載の遊技機である。
【発明の効果】
【００１３】
本発明によれば、以下のような優れた効果を奏する。
請求項１に記載の発明によれば、前面枠と、該前面枠側に着脱可能な状態で配置され、前面側に遊技領域が区画形成された遊技盤と、前面枠に開閉可能な状態で軸着され、遊技領域の前方を視認可能な状態で覆う透明部材を保持する透明部材保持枠と、遊技球を前面枠の前側へ排出可能な球排出機構とを備えた遊技機であって、遊技盤よりも前方の位置であって透明部材保持枠よりも後方の位置に、球排出機構の少なくとも一部を配置したので、遊技盤の後方に配置される構成を減少させることができ、遊技盤を前面枠の最後部の周辺に配置して遊技盤と透明部材保持枠との間隔を十分に確保することができる。したがって、遊技機の奥行き寸法を広げずに、遊技盤が遊技者に近過ぎるという圧迫感を抑えることができる。
【００１４】
請求項２に記載の発明によれば、透明部材保持枠は、透明部材の側方に位置する箇所を前方へ膨出し、該膨出部の裏側を前方へ凹ませて球排出機構の一部を収容可能な排出機構収容部を形成したので、透明部材保持枠の後部の限られた空間を有効に活用することができる。また、透明部材保持枠を開くだけで球排出機構を露出することができ、球排出機構のメンテナンス作業の準備を効率よく行うことができる。
【００１５】
請求項３に記載の発明によれば、透明部材保持枠は、透明部材の側方に、前後方向へ延在する視認窓部を備え、球排出機構は、当該球排出機構内の遊技球流路に臨む排出窓部を備え、視認窓部および排出窓部を介して球排出機構内の遊技球を視認可能としたので、球排出機構内の遊技球を、透明部材の正面からは見えないが、透明部材の中央側から側方へ覗き込めば見えるように設定することができる。したがって、遊技者は、所望により遊技球の動きを見て楽しんだり、あるいは球排出機構内の遊技球の動きを気にして遊技に集中できなくなる不都合をなくしたりすることができる。さらに、球排出機構内で遊技球の球詰まりが発生した場合には、球詰まりの状態を容易に確認することができ、球排出機構の復旧準備を迅速に行うことができる。
【００１６】
請求項４に記載の発明によれば、遊技盤の下方に、遊技に関わる変動表示ゲームを実行する変動表示装置を配置し、該変動表示装置は、変動表示ゲームを表示可能な表示部を前方へ下り傾斜した状態で配置し、表示部の下部の後方に配置空間部を設定し、球排出機構は、遊技球の排出動作を行う球排出装置と、該球排出装置から排出された遊技球を流下させる球排出流下路とを備え、前面枠の一側には球排出装置を配置し、他側には球排出流下路の下流開口を設け、配置空間部に球排出流下路を前面枠の一側から他側へ向けて下り傾斜した状態で配置したので、遊技盤とは別個に配置された変動表示装置の後方に、球排出機構の構成要素を配置することができる。したがって、変動表示装置の周辺の限られた空間を有効に活用することができる。
【００１７】
請求項５に記載の発明によれば、変動表示装置は、表示部に液晶パネルを用いた液晶表示器で構成され、液晶パネルのうち球排出流下路に対向する箇所を流下路対向部に設定し、該流下路対向部を光透過状態と光散乱状態とに変換可能とし、流下路対向部を光透過状態へ変換すると、流下路対向部を介して球排出流下路内の遊技球を前方から視認可能としたので、表示部の後方に球排出流下路を配置したとしても、球排出流下路内の遊技球の流れを遊技者に見せることができる。したがって、遊技者は、球排出流下路内の遊技球の流下状態を確認して、球詰まりに対する不安を解消することができる。
【００１８】
請求項６に記載の発明によれば、遊技領域へ遊技球を発射可能な発射装置と、該発射装置から発射された遊技球を遊技領域へ案内する発射案内流路とを備え、球排出流下路のうち発射案内流路と前後に重なる箇所にはファール球回収路を発射案内流路内へ向けて延設し、該ファール球回収路の延設端部を発射案内流路内で上方へ向けて開放したので、球排出流下路とは別個にファール球を発射装置へ戻す構成要素を設ける必要がない。したがって、遊技機内の限られた空間を一層有効に活用することができる。
【００１９】
請求項７に記載の発明によれば、遊技領域へ遊技球を発射可能な発射装置と、該発射装置から発射された遊技球を遊技領域へ案内する発射案内流路とを備え、該発射案内流路の正面に球排出機構を配置したので、発射案内流路の側方に、球排出機構を配置するためのスペースを確保する必要がない。したがって、遊技盤、ひいては遊技盤上に形成された遊技領域を側方へ拡大することができ、遊技の興趣を高めた遊技領域を実現し易い。
【発明を実施するための最良の形態】
【００２０】
以下、代表的な遊技機であるパチンコ遊技機を例に挙げて本発明の実施の最良の形態を図面に基づき説明する。図１はパチンコ遊技機の斜視図、図２は前面側を開放した状態のパチンコ遊技機の斜視図、図３は前面側を開放するとともに変動表示ユニットを取り外した状態のパチンコ遊技機の斜視図である。
【００２１】
パチンコ遊技機１は、図１から図３に示すように、外枠（機枠あるいは本体枠）２に前面枠（内枠）３を開閉可能に軸着し、この前面枠３のベースとなる略額縁状の前面枠本体４（すなわち前面枠３側）の上部に矩形状の遊技盤５を収納可能とし、該遊技盤５の前面に遊技領域６を区画形成し、遊技盤５の下方には変動表示ユニット８を表示ユニット配置部９に対して着脱可能な状態で配置（収納）している。また、前面枠本体４の前面側には、一側（図１中、左側）が軸着された透明部材保持枠１１を開閉（回動）可能に設け、該透明部材保持枠１１に透視可能な透明部材１２を保持し、透明部材保持枠１１の下部には、遊技球を貯留可能な球貯留ユニット１３を備えている。そして、透明部材保持枠１１を閉じると、遊技盤５が透明部材保持枠１１に覆われるとともに、透明部材１２が遊技領域６の前方に配置され、透明部材１２を通して遊技領域６と変動表示ユニット８とを上下に並んだ状態で前方から視認できるように構成されている。さらに、透明部材保持枠１１の下方には棚部１５を前面枠本体４の下部から前方へ突設し、該棚部１５の上面を左右方向の中央部が下方へ凹んだ曲面で形成し、この凹み部に透明部材保持枠１１の球貯留ユニット１３を収容するように構成されている。そして、棚部１５の前面の一側（図１中、右側）には、後述する発射装置１６を操作するための発射操作ユニット（発射操作ハンドル）１７を備え、他側（図１中、左側）には、遊技中に遊技者が操作するための遊技演出用ボタン１８を備えている。
【００２２】
前面枠本体４は、大きな矩形状の開口を上寄りに開設した合成樹脂製枠体であり、図２（ａ）に示すように、開口の上半部分に額縁状の遊技盤収納フレーム２６を備え、該遊技盤収納フレーム２６内に遊技盤５を後方から着脱可能な状態で収納（配置）し、遊技盤５の左右両側を遊技盤保持機構２７により保持して遊技盤収納フレーム２６から脱落することを防いでいる。なお、遊技盤保持機構２７は、遊技盤収納フレーム２６の一側（図４中、左側）の後方に回動可能な状態で設けられた係止部材２７ａと、他側（図４中、右側）の後方に設けられた爪状の係合部材２７ｂとを備え、遊技盤５の側部を遊技盤収納フレーム２６と係合部材２７ｂとの間に差し込み、この差し込み状態で係止部材２７ａを回動して遊技盤５の後部に移動すると、遊技盤５の取り外しを規制する規制状態となる。一方、係止部材２７ａを回動して遊技盤５の後部から外すと、遊技盤５の取り外しを許容する許容状態となる。
【００２３】
また、遊技盤収納フレーム２６の下方には、表示ユニット配置部９の背面部として機能するフレームボード部２８を備え、該フレームボード部２８の上端には遊技盤載置部２９を設け、該遊技盤載置部２９に遊技盤５の下端を載置することで遊技盤５の上下方向の位置を規制するように構成されている。さらに、遊技盤収納フレーム２６の前方には、図２（ｂ）に示すように、透明なガラス板で形成された略蒲鉾形状の遊技盤カバー３０を配置し、ヒンジ機構（図示せず）を介して遊技盤カバー３０の下縁部と遊技盤載置部２９の前縁部とを接続している。そして、遊技盤カバー３０を遊技盤５と略同じ大きさに設定し、ヒンジ機構を中心にして上方へ回動して起立姿勢にすると、遊技盤カバー３０により遊技盤５が前方から透視可能な状態で十分に被覆されるように構成されている。一方、下方へ回動して倒伏姿勢にすると、遊技盤５（遊技領域６）の前方を開放するとともに、下方の表示ユニット配置部９に配置された変動表示ユニット８を上方から保護する庇部として機能し、メンテナンス時に遊技盤５からこぼれ落ちた遊技球が変動表示ユニット８に衝突する不都合を防ぐように構成されている。
【００２４】
また、フレームボード部２８の前面側の側部（図３中、左側部）には、縦長なボード側発射流路３２を上方へ向かうにつれて流路幅が狭くなる状態で区画形成し、ボード側発射流路３２の下端を発射装置１６へ連通し、上端を後述する遊技盤５の領域側発射流路３３の下端へ連通している。そして、ボード側発射流路３２と領域側発射流路３３とにより、発射装置１６から発射された遊技球を遊技領域６へ案内する発射案内流路３４を構成している。
【００２５】
なお、ボード側発射流路３２は、フレームボード部２８の前面に前方へ突出した２つの縦長な流路区画壁３６、詳しくは当該ボード側発射流路３２のうちフレームボード部２８の中央側に配置された第１区画壁３６ａと、ボード側発射流路３２を挟んで第１区画壁３６ａとは反対側に配置された第２区画壁３６ｂとをハ字状に配置して備え、該流路区画壁３６の間の空間を縦長な略台形状の閉塞部材（図示せず）で前方から閉塞して区画形成されている。したがって、第１区画壁３６ａは、ボード側発射流路３２を飛翔する遊技球が側方、詳しくはフレームボード部２８の左右方向の中央側へ向けて飛び出す不都合を規制する機能を備えている。また、閉塞部材は、ボード側発射流路３２を飛翔する遊技球が前方、詳しくは変動表示ユニット８の裏面に衝突して変動表示ユニット８が損傷する不都合を規制する機能を備えている。また、第１区画壁３６ａを正面から見てフレームボード部２８の左右方向の中央寄りへ下り傾斜した状態に設定し、遊技球を第１区画壁３６ａの下端部の近傍から第１区画壁３６ａの傾斜方向へ沿って飛翔させて領域側発射流路３３へ進入させるように構成されている。
【００２６】
そして、フレームボード部２８と棚部１５との間には、表示ユニット配置部９の底部として機能する表示ユニット載置部３８を棚部１５よりも後方の位置に配置し、該表示ユニット載置部３８を上段とし、棚部１５を下段とした所謂ひな壇形状を形成している。また、表示ユニット載置部３８と棚部１５との間の起立壁部３９には、遊技球が１個ずつ通過可能な球送り開口４０を開設し、該球送り開口４０の後方であってフレームボード部２８の下方（詳しくはボード側発射流路３２の下方）には、球貯留ユニット１３に貯留された遊技球を遊技領域６へ向けて発射可能な発射装置１６（図４参照）を配置している。そして、発射装置１６と球送り開口４０との間には球送り流路（図示せず）を配置し、球貯留ユニット１３から球送り開口４０に流下してきた遊技球が球送り流路を通過して発射装置１６へ到達するよう構成されている。
【００２７】
さらに、図４に示すように、前面枠本体４の上部の裏側には横長な裏機構盤４２を設け、該裏機構盤４２の一側寄り（図４中、左寄り）に外部情報端子４３を配置し、他側寄り（図４中、右寄り）に球タンク４４を配置している。また、前面枠本体４の側部（図２（ａ）中、左側部）には、正面から見て略Ｌ字状に形成された球排出機構４５を備え、該球排出機構４５の上端部を球タンク４４の下端に接続し、球タンク４４内の遊技球を前面枠３の前側、具体的には透明部材保持枠１１の球貯留ユニット１３へ排出できるように構成されている。そして、前面枠本体４の下部の裏側であって、棚部１５の後方および表示ユニット配置部９（フレームボード部２８）の後方には、電源供給装置４６、排出発射制御装置４７等を配置している。なお、球排出機構４５については、後で詳細に説明する。
【００２８】
遊技盤５は、図２（ａ）に示すように、当該遊技盤５の前面に領域区画部材５６を止着して略半円形状の遊技領域６を区画形成し、遊技領域６のうちボード側発射流路３２の上方に位置する側部（図２（ａ）中、左側部）には、遊技球を遊技領域６内へ案内するための円弧状の領域側発射流路３３を形成し、遊技領域６および領域側発射流路３３を遊技盤収納フレーム２６のフレーム開口２６ａから前方へ臨ませている。そして、遊技領域６の中央部よりも下寄りの位置には、遊技球が入賞可能な入賞装置（変動表示ユニット８で実行される変動表示ゲームを始動するための始動入賞口５８や、変動表示ゲームの大当たり時に遊技球が入賞可能となる大入賞口５９等）を配置し、遊技領域６の下端には、入賞せずに遊技領域６を流下してきた遊技球（アウト球）を回収するアウト口６０を開設している。
【００２９】
また、遊技盤５の裏面側には、遊技盤５よりもひと回り小さい略矩形状の球寄せベース６１を装着し、該球寄せベース６１内に始動入賞口５８や大入賞口５９等の入賞装置に入賞した遊技球（セーフ球）を回収するための球寄せ流路（図示せず）を形成している。そして、球寄せベース６１の下端部に球寄せ流路の下流開口を開設し、該下流開口をフレームボード部２８の裏面側に設けた球回収流路（図示せず）へ連通し、球寄せ流路および球回収流路を介してセーフ球をパチンコ遊技機１の外部へ流下できるように構成されている。さらに、球寄せベース６１の裏面側には、遊技の進行を統括的に制御する遊技制御装置６２と、遊技演出のための画像や音声等を記憶する記憶部として機能する演出データ装置（ＲＯＭカートリッジ）６３とを備えている。
【００３０】
変動表示ユニット８は、図２（ａ）および図５に示すように、液晶表示器からなる変動表示装置６８と、該変動表示装置６８の上部の後方に配置された表示制御装置６９と、変動表示装置６８の左右両側方に配置され、遊技の進行に伴って音を発生して演出を行うスピーカー７４とを備えて構成されており、表示ユニット配置部９に下方および後方から支持された状態で配置されている。変動表示装置６８は、遊技に関わる変動表示ゲームを実行する装置であり、透明で薄い箱状の表示ケース８２を前方へ下り傾斜した状態で備え、該表示ケース８２の内部には、液晶パネルで構成され、変動表示ゲームを表示可能な表示部８３（第１表示部８３ａおよび第２表示部８３ｂ）と、該表示部８３に光を照射するための発光機構８４（第１発光機構８４ａおよび第２発光機構８４ｂ）とを備えて構成されている。
【００３１】
具体的に説明すると、画像表示用の大型液晶パネルである第１表示部８３ａを前方へ下り傾斜した状態で配置し、第１表示部８３ａの裏側には、第１発光機構８４ａの一部である平板状の光拡散レンズ８６を第１表示部８３ａに沿って下り傾斜した状態で備えている。さらに、該光拡散レンズ８６の上端部には、第１発光機構８４ａの一部である第１表示用ランプ８７を配置し、第１表示用ランプ８７の光を、光拡散レンズ８６を通して表示部８３へ後方から照射して、第１表示部８３ａで表示される画像を前方の遊技者側から鮮明に視認できるように構成されている。なお、光拡散レンズ８６は、下部へ向かうにつれて次第に薄くなる状態に形成され、当該光拡散レンズ８６の表面には導光パターンが施されている。そして、この導光パターンにより、上方の第１表示用ランプ８７から照射される光を拡散し、前方の第１表示部８３ａへ一様に光を導くように設定されている。
【００３２】
また、光拡散レンズ８６のうち上下方向の中央部よりも下寄りの部分には横長な透過開口８６ａを開設し、光拡散レンズ８６の後方であって透過開口８６ａに対向する位置には、液晶シャッターとして機能する横長短冊状の第２表示部８３ｂを第１表示部８３ａおよび光拡散レンズ８６に沿って下り傾斜した状態で配置し、該第２表示部８３ｂの下方には第２発光機構（第２表示用ランプ）８４ｂを第２表示部８３ｂの下縁部に対向する状態で配置している。なお、第２表示部８３ｂは、ポリマー分散液晶パネルで構成されており、内部のポリマー分散液晶に交流電圧を印加すると、液晶分子の方向を均等に揃えて屈折率を低く設定して、当該第２表示部８３ｂの後方の光を前方へ透過する光透過状態へ変換する。一方、交流電圧の印加を停止すると、液晶分子の方向を揃えず屈折率を高く設定し、この設定状態で第２発光機構８４ｂから光を照射すると、この光が散乱して白濁した状態（光散乱状態）へ変換し、当該第２表示部８３ｂの後方の光を前方へ透過しない。
【００３３】
そして、下り傾斜した状態の変動表示装置６８の下部の後方、言い換えると表示部８３（第１表示部８３ａ）の下部の後方には、後述する球排出機構４５の一部を配置可能な配置空間部９０をフレームボード部２８との間に設定している。
【００３４】
透明部材保持枠１１は、保持枠本体９５と、該保持枠本体９５に保持された透明部材１２と、保持枠本体９５の下縁部に配置された球貯留ユニット１３とを備えて構成されている。保持枠本体９５は、前面枠本体４と略同じ横幅で形成された枠体であり、左右両側部および上部を前方へ膨出し、該膨出部９６のうち透明部材１２の側方であって球排出機構４５の前方に位置する箇所（図１中、左側の膨出部９６）の裏側を前方へ凹ませて、球排出機構４５の一部を収容可能な排出機構収容部９７を形成している（図６参照）。さらに、保持枠本体９５の中央部には縦向き長円形の保持枠開口９８を大きく開設している。
【００３５】
透明部材１２は、保持枠開口９８を塞ぐ状態で保持枠本体９５に保持された透明樹脂製の部材であり、当該透明部材１２の側方および上方には、前後方向へ延在する外縁壁部９９を透明部材１２の外縁部から前後方向（詳しくは前方）へ延在する状態で備え、外縁壁部９９の前縁部を保持枠開口９８の開口縁へ後方から接続して保持枠開口９８を後方から閉塞している。そして、図６に示すように、外縁壁部９９のうち排出機構収容部９７側に位置する部分を透視可能な部材（例えば透明樹脂）で形成して視認窓部１００とし、該視認窓部１００により排出機構収容部９７の側部、詳しくは排出機構収容部９７の透明部材１２側（図６中、右側）を区画して、排出機構収容部９７の内部が視認窓部１００を介して視認できるように構成されている。また、透明部材１２の下半部分を前方へ大きく突出し、該突出部１０１の上面を前方へ下り傾斜した状態、言い換えると遊技者の顔へ対向する状態に形成している。さらに、突出部１０１の裏側を前方へ向けて凹ませて表示ユニット収容部１０２（図５参照）を形成し、透明部材保持枠１１を閉じると、該表示ユニット収容部１０２に変動表示ユニット８を後方から収容するように構成されている。
【００３６】
球貯留ユニット１３は、図１に示すように、前方へ膨出した球貯留皿１０５を備え、該球貯留皿１０５のうち一側寄りの内部（図１中、左寄りの内部）を下方へ窪ませて球受入部１０６を形成し、他側寄りの内部（図１中、右寄りの内部）を球受入部１０６よりも下方へ凹ませて球貯留空間部１０７を形成している。そして、球貯留皿１０５の前側には、球受入部１０６と球貯留空間部１０７とを連通する横長な流下案内路１０８を設け、該流下案内路１０８を球受入部１０６から球貯留空間部１０７へ向けて下り傾斜した姿勢に設定している。したがって、球受入部１０６に遊技球を投入すると、この遊技球は流下案内路１０８を流下して球貯留空間部１０７へ到達して貯留されるように構成されている。また、球貯留空間部１０７の後部には、球排出機構４５に連通可能な排出連通口１１０を開設している。
【００３７】
さらに、球貯留皿１０５の後部には、球貯留空間部１０７から球受入部１０６の下方へ向けて下り傾斜した球整列路１１２を設け、該球整列路１１２の下流部を上流部よりも絞り込んで遊技球が１個ずつ流下可能な流路幅に設定し、球整列路１１２内の遊技球を横一列に整列しながら流下させるように構成されている。また、球整列路１１２の下流端には、後方へ下り傾斜する球導出路（図示せず）を連通し、該球導出路の後端部を透明部材保持枠１１の後面側に開放している。そして、透明部材保持枠１１を閉じると、球導出路の後端部と球送り開口４０とを前後に重ねる状態で連通し、球導出路、球送り開口４０および球送り流路を介して、球貯留皿１０５内の遊技球を発射装置１６へ供給することができるように構成されている。
【００３８】
次に、球排出機構４５について説明する。
球排出機構４５は、図２（ａ）および図３に示すように、遊技球の排出動作を行う球排出装置１１５と、球タンク４４内の遊技球を２条に並べた状態で球排出装置１１５へ導入する球排出導入路１１６と、球排出装置１１５から排出された遊技球を１条に並べた状態で流下させる球排出連通路１１７と、該球排出連通路１１７を流下してきた遊技球（すなわち球排出装置１１５から排出された遊技球）を１条に並べた状態で流下させる球排出流下路１１８とを備えて構成されている。そして、球排出機構４５の上流部となる球排出導入路１１６および球排出装置１１５を前面枠３の一側、具体的には、遊技盤収納フレーム２６の側部（図３中、左側部）の前面側であって遊技盤５よりも前方に配置し、下流部となる球排出連通路１１７および球排出流下路１１８をフレームボード部２８の前面側に配置している。さらに、球排出導入路１１６および球排出装置１１５を領域側発射流路３３（発射案内流路３４）の正面から遊技盤５の側縁寄り（図３中、左側縁寄り）へ外れた位置に配置し、球排出連通路１１７をボード側発射流路３２（発射案内流路３４）の正面からフレームボード部２８の側縁寄り（図３中、左側縁寄り）へ外れた位置に配置している。また、透明部材保持枠１１を閉じた状態では、球排出装置１１５と球排出導入路１１６とを遊技盤５と透明部材保持枠１１の膨出部９６との間に配置するとともに（図６参照）、球排出連通路１１７をフレームボード部２８と透明部材保持枠１１の膨出部９６との間に配置し、これらの配置状態で球排出装置１１５と球排出導入路１１６と球排出連通路１１７とを排出機構収容部９７へ収容している。
【００３９】
球排出装置１１５は、図７に示すように、当該球排出装置１１５の内部に遊技球流路１２１を縦長に形成し、該遊技球流路１２１の上下方向の途中には、左右に並んだ２つのスプロケット１２２の端部を臨ませ、遊技球流路１２１のうちスプロケット１２２よりも下方には遊技球を検出可能な検出センサ１２３を設けている。さらに、球排出装置１１５のうち視認窓部１００に対向する側部には透光性を有する側壁部１２５を備え、該側壁部１２５のうち遊技球流路１２１に臨む箇所を排出窓部１２６とし、該排出窓部１２６および視認窓部１００を介して遊技球流路１２１の内部を外方から視認できるように設定されている。また、２つのスプロケット１２２を互いに球保持溝１２２ａの１個分だけ位相がずれた状態で回転軸に固定し、一体に回転すると交互に遊技球を流下できるように構成されている。さらに、遊技球流路１２１のうちスプロケット１２２を臨ませた箇所（スプロケット１２２の後方）には、左右に並んで２条で流下してきた遊技球を１条に整列させる整列誘導片１２７を備え、スプロケット１２２を挟んで整列誘導片１２７とは反対側（スプロケット１２２の前方）には、スプロケット１２２の回転駆動源である駆動モータ１２８を配置し、該駆動モータ１２８とスプロケット１２２とをギアなどの駆動伝達機構（図示せず）で接続している。そして、スプロケット１２２の外周部に形成した球保持溝１２２ａ内に遊技球が１つずつ嵌合した状態でスプロケット１２２を回転すると、遊技球がスプロケット１２２に搬送されながら整列誘導片１２７に当接して１条に整列し、この整列状態で遊技球流路１２１の下流側へ流下する。さらに、検出センサ１２３が所定数の遊技球が流下したことを検出すると、スプロケット１２２の回転を停止する。したがって、スプロケット１２２により流下量を制御しながら短時間で多数の遊技球を排出することができ、しかもスプロケット１２２で遊技球を１条に整列しながら搬送し、１条の整列状態で下方へ自由落下させることができる。これにより、多数の遊技球を排出可能な構成要素を簡単な構成で実現することができる。また、球排出装置１１５や、該球排出装置１１５から排出された遊技球を流下する構成（具体的には球排出連通路１１７および球排出流下路１１８）をコンパクトに抑えることができ、パチンコ遊技機内の限られた空間を有効利用することができる。例えば、球排出装置１１５を小さく抑え、その代わりに遊技盤５、ひいては遊技領域６を拡大することができる。
【００４０】
球排出導入路１１６は、遊技球を左右に並んで２条で流下可能な縦向き流路であり、図７に示すように、前後方向へ蛇行した状態で形成されている。また、球排出導入路１１６の上流部を後方へ延設して遊技盤収納フレーム２６に貫通して球タンク４４の下端に連通するとともに、下流部を球排出装置１１５の遊技球流路１２１の上端部に連通している。さらに、球排出導入路１１６を区画形成する区画壁のうち視認窓部１００に対向する区画壁（言い換えると透明部材１２側の区画壁）を透光性部材で形成して導入窓部１３０とし、該導入窓部１３０を介して球排出導入路１１６内の遊技球を視認できるように設定されている。なお、球排出導入路１１６の下端部には球止め部材１３１を開閉可能な状態で配置し、球排出機構４５から球排出装置１１５を取り外すと、球止め部材１３１が閉じて球排出導入路１１６から遊技球が流出する不具合を阻止し、球排出機構４５に球排出装置１１５を取り付けると、球止め部材１３１が開いて球排出導入路１１６から遊技球流路１２１へ遊技球を流下できるように構成されている。
【００４１】
球排出連通路１１７は、球排出装置１１５と球排出流下路１１８との間に配置された縦長な流路であり、遊技球流路１２１内で１条に整列して流下してきた遊技球をこの整列状態を維持しながら球排出流下路１１８へ誘導するように構成されている。
【００４２】
球排出流下路１１８は、図３および図５に示すように、遊技球を１条に整列した状態で左右方向へ流下させる横長な流路であり、フレームボード部２８の下部と変動表示装置６８の下部との間に設けられた配置空間部９０に配置されている。さらに、球排出連通路１１７の下端からボード側発射流路３２の前方を横切って球排出連通路１１７から遠ざかる方向へ下り傾斜した状態、言い換えると前面枠３の一側から他側へ向けて下り傾斜した状態に設定されている。また、球排出流下路１１８の下流開口１１８ａを前面枠本体４（前面枠３）の他側（図３中、左側）に設けるとともに前方へ向けて開放し、透明部材保持枠１１を閉じると、球排出流下路１１８の下流開口１１８ａと球貯留皿１０５の排出連通口１１０とを前後に重ねて球貯留空間部１０７と球排出機構４５とを連通するように構成されている。
【００４３】
さらに、球排出流下路１１８の傾斜上端部であってボード側発射流路３２（発射案内流路３４）と前後に重なる箇所には、ファール球（発射装置１６から発射されたが遊技領域６に到達せずに逆流してきた遊技球）を回収するためのファール球回収路１３４をボード側発射流路３２内へ向けて延設し、該ファール球回収路１３４の延設端部をボード側発射流路３２内で上方へ向けて開設してファール球回収口１３５を形成している。なお、ファール球回収口１３５は、ボード側発射流路３２のうち球排出連通路１１７側を区画する第２区画壁３６ｂに寄せた状態であって領域側発射流路３３の下端部の直下に配置されている。また、ファール球回収口１３５と第１区画壁３６ａとを離間し、この離間した空間部を発射球（発射装置１６から発射された遊技球）が飛び出してくる球飛翔口１３７とし、該球飛翔口１３７を領域側発射流路３３の下端部の直下から外して配置している。
【００４４】
そして、透明部材保持枠１１は、図５に示すように、変動表示装置６８の表示部（液晶パネル）８３のうち後方に配置された第２表示部８３ｂを、球排出流下路１１８へ前側上方から対向させて流下路対向部に設定し、該流下路対向部を光透過状態と光散乱状態とに変換できるように構成している。また、球排出流下路１１８を区画する区画壁１１８ｂを、透光性を有する材料（例えば透明樹脂）で形成し、該区画壁１１８ｂの上方には、球排出流下路１１８内の遊技球に光を照射するための流下路用ランプ１３８を備えている。
【００４５】
このような構成を備えたパチンコ遊技機１において、球貯留皿１０５に遊技球を貯留（供給）して遊技の開始準備が整った後、遊技者により発射操作ユニット１７が操作されると、遊技球が発射装置１６から発射される。すると、遊技球は、発射案内流路３４（ボード側発射流路３２および領域側発射流路３３）を上昇して遊技領域６へ飛入する。そして、障害釘や風車（いずれも図示せず）により方向を変えながら遊技領域６を流下し、何れの入賞装置にも入賞しなかった場合には、アウト口６０から遊技盤５の裏側に回収される。
【００４６】
また、一般入賞口（図示せず）や始動入賞口５８等の入賞装置へ入賞した場合には、パチンコ遊技機１は、予め定められた数の賞球を遊技者に付与する。さらに、始動入賞口５８へ入賞した場合には、この入賞に基づいて、遊技盤５の下方であって球貯留ユニット１３の近傍に配置された変動表示装置６８で変動表示ゲームを開始し、この変動表示ゲームの結果、表示部８３の表示内容が予め定められた特別表示（大当たり表示）になると、遊技者にとって有利な特別遊技状態（大当たり状態）を発生して大入賞口５９を開放する。そして、該大入賞口５９へ遊技球が入賞した場合には、予め定められた数の賞球を遊技者に付与する。
【００４７】
ここで、賞球を付与する動作においては、球排出機構４５（球排出装置１１５）を駆動して、球タンク４４に貯留された遊技球を賞球として球排出導入路１１６、球排出装置１１５、球排出連通路１１７および球排出流下路１１８へ流下させる。そして、球排出流下路１１８の下流開口１１８ａおよび排出連通口１１０を介して球貯留空間部１０７（球貯留皿１０５）へ排出する。このとき、前後方向へ延在する視認窓部１００と、球排出機構４５内の遊技球流路１２１に臨む排出窓部１２６および球排出導入路１１６の導入窓部１３０とを介して球排出装置１１５内の遊技球および球排出導入路１１６内の遊技球を視認可能としたので、球排出機構４５内の遊技球を、透明部材１２の正面からは見えないが、透明部材１２の中央側から側方へ覗き込めば見えるように設定することができる。したがって、遊技者は、所望により遊技球の動きを見て楽しんだり、あるいは球排出機構４５内の遊技球の動きを気にして遊技に集中できなくなる不都合をなくしたりすることができる。また、球排出機構４５内で球詰まりが発生した場合には、透明部材保持枠１１を開かずに、前方から覗き込むだけで球詰まりの状態を容易に確認することができ、球排出機構４５の復旧準備を迅速に行うことができる。
【００４８】
さらに、球排出装置１１５を駆動して遊技球を球貯留皿１０５へ払い出す動作を行うと、表示制御装置６９は、この払い出し動作に基づいて変動表示装置６８および流下路用ランプ１３８を制御し、予め設定された設定時間（例えば、払い出し予定数の遊技球が球排出流下路１１８を通過するために要する時間よりも長く設定された時間）に亘って球排出流下路１１８を前方から見ることができる視認可能状態に変換する。具体的には、第１表示部８３ａのうち第２表示部８３ｂおよび透過開口８６ａに対向する箇所を何も表示しない非表示状態（透過状態）に設定するとともに、第１表示用ランプ８７を点灯して非表示状態（透過状態）の箇所以外で表示される画像を遊技者から鮮明に見える状態に設定する。また、第２表示用ランプ８４ｂを消灯し、第２表示部（流下路対向部）８３ｂを光透過状態へ変換し、流下路用ランプ１３８を点灯して球排出流下路１１８へ光を照射する。この結果、第２表示部８３ｂ、透過開口８６ａ、第１表示部８３ａを介して球排出流下路１１８内の遊技球を変動表示装置６８の前方から視認可能となる。したがって、表示部８３の後方に球排出流下路１１８を配置したとしても、球排出流下路１１８内の遊技球の流れを遊技者に見せることができる。このことから、遊技者は、球排出流下路１１８内の遊技球の流下状態を確認することができ、球排出流下路１１８で球詰まりが発生するかもしれないという不安を解消することができる。
【００４９】
そして、設定時間が経過すると、表示制御装置６９は、変動表示装置６８および流下路用ランプ１３８を制御し、視認可能状態を解除する。具体的には、第１表示部８３ａの非表示状態の箇所に対して画像表示を許容し、第２表示用ランプ８４ｂを点灯し、第２表示部８３ｂを光散乱状態へ変換する。さらに、流下路用ランプ１３８を消灯する。この結果、球排出流下路１１８が変動表示装置６８の前方から視認不能となる。
【００５０】
また、発射装置１６により発射された遊技球が遊技領域６へ到達せず、発射案内流路３４を逆流してファール球となった場合には、このファール球は、領域側発射流路３３を下方へ落下し、球飛翔口１３７へ戻らずに、領域側発射流路３３の直下に位置するファール球回収口１３５へ進入し、ファール球回収路１３４を介して球排出流下路１１８へ到達する。さらに、球排出流下路１１８を流下して球発射装置１６へ戻る。したがって、球排出流下路１１８とは別個にファール球を発射装置１６へ戻す構成要素を設ける必要がない。したがって、パチンコ遊技機１内の限られた空間を一層有効に活用することができる。
【００５１】
そして、パチンコ遊技機１においては、遊技盤５の下方に変動表示装置６８を配置し、該変動表示装置６８の後方の配置空間部９０に球排出流下路１１８を配置したので、遊技盤５とは別個に配置された変動表示装置６８の後方に、球排出機構４５の構成要素を配置することができる。したがって、変動表示装置６８の周辺の限られた空間を有効に活用することができる。また、透明部材保持枠１１の膨出部９６の裏側を前方へ凹ませて排出機構収容部９７を形成し、該排出機構収容部９７に球排出機構４５の一部を収容するので、透明部材保持枠１１の後部の限られた空間を有効に活用することができる。そして、透明部材保持枠１１を開くだけで球排出機構４５を露出することができ、球排出機構４５のメンテナンス作業の準備を効率よく行うことができる。さらに、遊技盤５と透明部材保持枠１１との間、言い換えると、遊技盤５よりも前方の位置であって透明部材保持枠１１よりも後方の位置に球排出機構４５の一部（球排出導入路１１６、球排出装置１１５）を配置したので、遊技盤５の後方に配置される構成を減少させることができ、遊技盤５を前面枠３の最後部の周辺に配置して遊技盤５と透明部材保持枠１１との間隔を十分に確保することができる。したがって、パチンコ遊技機１の奥行き寸法を広げずに、遊技盤５が遊技者に近過ぎるという圧迫感を抑えることができる。
【００５２】
なお、上記実施形態では遊技球の払い出し動作、言い換えると球排出装置１１５の駆動に基づいて球排出流下路１１８内の遊技球を視認できる視認可能状態へ変換するように構成したが、本発明はこれに限定されない。例えば、パチンコ遊技機１の前面側に変動表示装置６８および流下路用ランプ１３８を操作するための視認操作部（図示せず）を備え、遊技者が視認操作部を操作すると、表示制御装置６９が変動表示装置６８および流下路用ランプ１３８を制御して、球排出流下路１１８を前方から見ることができる視認可能状態に変換するように構成してもよい。このように構成すれば、遊技者が所望のタイミングで視認操作部を操作して球排出流下路１１８内の遊技球の流下状態を確認することができて好適である。
【００５３】
また、図３および図４中に二点鎖線で示すように、フレームボード部２８のうち球排出流下路１１８に対向する箇所に作業用開口１４０を開設すれば、外枠２に対して前面枠３を開いて前面枠３の裏側から球排出流下路１１８を露出することができる。したがって、球排出流下路１１８のメンテナンス作業や、球詰まり状態の復旧作業等を行う際に、透明部材保持枠１１を開いて変動表示装置６８を取り外すという大掛かりな手間を省くことができ、作業効率の向上を図ることができる。
【００５４】
ところで、上記実施形態では、球排出機構４５の一部（球排出導入路１１６、球排出装置１１５、球排出連通路１１７）を発射案内流路３４の正面から外れた位置に配置したが、本発明はこれに限定されない。例えば、図８に示すように、発射案内流路３４の正面に球排出機構４５を配置してもよい。詳しくは、領域側発射流路３３の正面に球排出導入路１１６および球排出装置１１５を配置してもよい。さらには、ボード側発射流路３２の正面に球排出連通路１１７を配置してもよい。このように球排出機構４５の構成要素を配置すれば、発射案内流路３４の側方に、球排出機構４５を配置するためのスペースを確保する必要がない。したがって、遊技盤５、ひいては遊技盤５上に形成された遊技領域６を側方へ拡大することができ、遊技の興趣を高めた遊技領域６を実現し易い。
【００５５】
また、球排出機構４５を透光性部材で形成し、この球排出機構４５を発射案内流路３４の正面から遊技領域６側へ外れた位置、すなわち遊技領域６の前方に重ねて配置して、遊技領域６を流下する遊技球と、球排出機構を流下する遊技球とを前後に重なる状態で見えるようにしてもよい。さらに、排出機構収容部９７を区画形成する膨出部９６を透光性部材で形成し、パチンコ遊技機１の前方から膨出部９６を介して球排出機構４５を視認できるように構成してもよい。
【００５６】
また、上記実施形態では、球排出機構４５の一部（球排出装置１１５、球排出連通路１１７、球排出流下路１１８）を遊技盤５よりも前方の位置であって透明部材保持枠１１よりも後方の位置、すなわち遊技盤５と透明部材保持枠１１との間に配置し、球排出導入路１１６の上端部を屈曲して遊技盤５の後方に配置したが、本発明はこれに限定されない。要は、遊技盤５と透明部材保持枠１１との間に、球排出機構４５の少なくとも一部を配置していればよく、例えば、球排出装置１１５のみを遊技盤５よりも前方の位置に配置してもよい。また、上記実施形態では、球排出機構４５の一部を遊技盤５と透明部材保持枠１１との間に挟まれる状態で配置したが、本発明はこれに限定されない。要は、球排出機構４５の少なくとも一部が遊技盤５よりも前方の位置であって透明部材保持枠１１よりも後方の位置に配置されていればよい。例えば、球排出機構４５の少なくとも一部が遊技盤５の前面とは前後に重ならずに遊技盤５の前面から側方へ外れた状態で配置されていてもよい。
【００５７】
さらに、上記実施形態では、視認窓部１００および排出窓部１２６を透視可能な部材（例えば透明樹脂）で構成したが、本発明はこれに限らず、遊技球流路１２１内の遊技球を視認できればどのような窓部であってもよい。例えば、視認窓部１００および排出窓部１２６を、遊技球の直径よりも十分に狭い幅の開口（例えば遊技球流路１２１に沿って延在する複数のスリット）で構成してもよい。しかしながら、防犯上の問題を鑑みると、透明部材保持枠１１に設けられる視認窓部１００は、開口で構成せずに閉塞した状態に設定し、不正部材（例えばピアノ線）の侵入を阻止できるように構成することが好ましい。
【００５８】
なお、上記実施形態では、変動表示ユニット８（変動表示装置６８）を前面枠本体４の表示ユニット配置部９に装着したが、本発明はこれに限定されない。例えば、変動表示ユニット８を透明部材保持枠１１に装着し、透明部材保持枠１１とともに前後方向へ回動できるように構成してもよい。また、変動表示装置６８の表示部８３は、変動表示ゲームを表示可能であればどのようなものでもよく、ＥＬ（Electro Luminescence）や複数のＬＥＤで構成されたものであってもよい。
【００５９】
そして、上記した実施形態は、代表的な遊技機であるパチンコ遊技機を例に挙げて説明したが、本発明はこれに限らず、前面枠と、該前面枠側に着脱可能な状態で配置された遊技盤と、該遊技盤の下方に配置された変動表示装置と、遊技球を前面枠の前側へ排出可能な球排出機構と、該球排出機構から排出された遊技球を貯留可能な球貯留ユニットと、該球貯留ユニットに貯留された遊技球を遊技盤の遊技領域へ発射可能な発射装置とを備えた遊技機であればどのような遊技機でもよい。例えば、アレンジボール式遊技機、雀球式遊技機等の遊技機であってもよい。
【００６０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６１】
【図１】パチンコ遊技機の斜視図である。
【図２】（ａ）は透明部材保持枠を取り外した状態のパチンコ遊技機の斜視図、（ｂ）は遊技盤カバーを説明する斜視図である。
【図３】透明部材保持枠および変動表示ユニットを取り外した状態のパチンコ遊技機の斜視図である。
【図４】パチンコ遊技機の背面図である。
【図５】変動表示ユニットの断面図である。
【図６】球排出装置の周辺を説明する断面図である。
【図７】球排出装置および球排出導入路の側面図である。
【図８】発射案内流路の前方に球排出機構を配置した実施形態の説明図である。
【符号の説明】
【００６２】
１  パチンコ遊技機
３  前面枠
４  前面枠本体
５  遊技盤
６  遊技領域
８  変動表示ユニット
９  表示ユニット配置部
１１  透明部材保持枠
１２  透明部材
１３  球貯留ユニット
１６  発射装置
２６  遊技盤収納フレーム
２７  遊技盤保持機構
２８  フレームボード部
３２  ボード側発射流路
３３  領域側発射流路
３４  発射案内流路
３６  流路区画壁
４０  球送り開口
４５  球排出機構
６８  変動表示装置
８３  表示部
８４  発光機構
９０  配置空間部
９５  保持枠本体
９６  膨出部
９７  排出機構収容部
９８  保持枠開口
９９  壁部
１００  視認窓部
１０１  突出部
１０５  球貯留皿
１０６  球受入部
１０７  球貯留空間部
１０８  流下案内路
１１０  排出連通口
１１２  球整列路
１１５  球排出装置
１１６  球排出導入路
１１７  球排出連通路
１１８  球排出流下路
１１８ａ  下流開口
１２１  遊技球流路
１２６  排出窓部
１２７  整列誘導片
１３０  導入窓部
１３４  ファール球回収路
１３５  ファール球回収口
１３８  流下路用ランプ
【図１】
2008161213.tif 000003
【図２】
2008161213.tif 000004
【図３】
2008161213.tif 000005
【図４】
2008161213.tif 000006
【図５】
2008161213.tif 000007
【図６】
2008161213.tif 000008
【図７】
2008161213.tif 000009
【図８】
2008161213.tif 000010